(57)【要約】【課題】手動式のハンドルから外れ難い、ハンドル回転駆動用のアタッチメントを提供する。【解決手段】アタッチメント１０は、出力軸Ｓｏを有する電動工具Ｔｅを用いて、ハンドルＨｄを回転駆動できる。アタッチメント１０は、円盤状の本体１１、複数の操作桿１２、及び、入力軸１３を備える。本体１１は、一方の面から突出した突部１１１を有し、突部１１１の先端面がハブＨｂに当接できる。操作桿１２は、本体１１の一方の面から突出し、隣設し合うスポークＳｐ・Ｓｐの間に導入できる。入力軸１３は、本体１１の他方の面の中心部から突出し、電動工具Ｔｅの出力軸Ｓｏと連結できる。操作桿１２は、一組の凹部１２ａ・１２ａを外周から切り欠いている。操作桿１２を隣設し合うスポークＳｐ・Ｓｐの間に導入すると、凹部１２ａは、スポークＳｐの外周に係合し、スポークＳｐから抜け止めできる。【選択図】図１
2020117948.tif 000002
【特許請求の範囲】
【請求項１】
回転する出力軸を有する電動工具を用いて、中心部が回転軸と結合したハブ、このハブを中心に放射状に延びる複数のスポーク、及び、これらのスポークの延端に結合する円環状のリムと、を有するハンドルを回転駆動するためのハンドル回転駆動用のアタッチメントであって、
一方の面から突出した円柱状の突部を有し、この突部の先端面が前記ハブに当接自在な円盤状のアタッチメント本体と、
前記アタッチメント本体の一方の面から突出し、複数の前記スポークの間に導入自在な一つ以上の棒状の操作桿と、
前記アタッチメント本体の他方の面の中心部から突出し、前記電動工具の出力軸と連結できる入力軸と、を備え、
前記操作桿は、前記スポークの外周に係合し、前記スポークから抜け止めできる一組の凹部を外周に有している、ハンドル回転駆動用のアタッチメント。
【請求項２】
前記アタッチメント本体の突部は、前記ハブの中心部に突出した六角ボルトの頭部を逃げる逃げ部を先端面から穿設している、請求項１記載のハンドル回転駆動用のアタッチメント。
【請求項３】
前記入力軸は、多角柱状に形成している、請求項１又は２記載のハンドル回転駆動用のアタッチメント。
【発明の詳細な説明】
【技術分野】
【０００１】
本発明は、ハンドル回転駆動用のアタッチメントに関する。特に、水門などのゲートを開閉するために設置したハンドルを回転駆動するために好適な、ハンドル回転駆動用のアタッチメントの構造に関する。
【背景技術】
【０００２】
例えば、浄水施設などでは、ポンプを用いて浄水を汲み上げ、高地の配水池又は給水池に貯水している、そして、配水池又は給水池から落差で水圧をかけて、下方の給水管に浄水を供給している。これらの配水池又は給水池では、水門又は水路に設置したゲートを開閉することで、給水管に供給する浄水の流量を調整している。
【０００３】
このような水門又は水路に設置したゲート開閉機は、一般に、ゲートを開閉する頻度が少ないので、電動開閉機に代えて、手動の開閉機を備えている場合が多い。又、電動開閉機を設置していても、停電の場合には、ゲートを手動操作で開閉できるように構成している。
【０００４】
このような手動のゲート開閉機は、重量のゲートを開閉するために、ラック・アンド・ピニオン機構、又はねじ送り機構を用いて、ハンドルの回転運動をゲートの開閉運動に変換している。このような変換機構を手動のゲート開閉機に用いることで、ハンドルを回す小さな力で、重量のゲートを開閉できる。
【０００５】
一方、上述した変換機構を手動のゲート開閉機に用いることで、ゲートに所定の昇降量を確保するためには、ハンドルを数多く回転する必要があった。このため、作業員が手動でハンドルを数多く回転操作するには手間を要することから、例えば、可搬式の電動モータを現場まで持ち運び、電動モータをハンドルに連結して、ハンドルを回転させていた。
【０００６】
しかし、高地の配水池又は給水池まで、可搬式の電動モータを現場まで持ち運ぶことは容易でないことから、手動のゲート開閉機を開閉するために、小型軽量で持ち運びが容易な開閉機の可搬型駆動装置が開示されている（例えば、特許文献１参照）。
【先行技術文献】
【特許文献】
【０００７】
【特許文献１】特開２０１５−５２２２６号公報
【発明の概要】
【発明が解決しようとする課題】
【０００８】
図７は、従来技術による開閉機の可搬型駆動装置の構成を示す斜視図である。図８は、従来技術による開閉機の可搬型駆動装置に備わる別のアタッチメントの構成を示す斜視図である。図９は、図８のＡ−Ａ矢視断面図である。
【０００９】
なお、本願の図７は、特許文献１の図１に相当している。又、本願の図８と図９は、特許文献１の図６と図７に相当している。
【００１０】
図７を参照すると、従来技術による開閉機の可搬型駆動装置（以下、駆動装置と略称する）９は、手動のゲート開閉機８に備わるハンドルＨｄを回転できる。ゲート開閉機８は、略水平な設置面に設置した支持管８１の上部にハンドルＨｄを設置している。
【００１１】
図７を参照すると、ハンドルＨｄは、中心部に配置されたハブＨｂ、複数のスポークＳｐ、及び、円環状のリムＲｍを有している。複数のスポークＳｐは、ハブＨｂを中心に放射状に延びている。リムＲｍは、複数のスポークＳｐの延端と結合している。又、リムＲｍには、グリップＧｐを回転自在に取り付けている。グリップＧｐを把持して、ハンドルＨｄを手動で回転することもできる。
【００１２】
図７を参照すると、ゲート開閉機８は、回転軸８２を更に備えている。回転軸８２の一端部は、六角ボルトを用いて、ハブＨｂと着脱自在に固定されている。又、回転軸８２は、支持管８１が延びる方向と略直交する方向に配置されている。
【００１３】
図７を参照すると、支持管８１は、図示しないラック棒を内部に配置している。図示しないラック棒は、鉛直方向に昇降自在に、支持管８１の内部に支持されている。一方、回転軸８２は、図示しないラック棒に噛み合うピニオン（図示せず）を他端部に取り付けている。
【００１４】
図７を参照して、ハンドルＨｄを回転すると、ハンドルＨｄの回転運動を図示しないラック棒の昇降運動に変換できる。図示しないラック棒の下部には、自在継手を介して、ロッドが連結されている。このロッドには、ゲートが連結されている。これにより、ゲート開閉機８は、ハンドルＨｄを回転することで、水門や水路のゲートを開閉できる。
【００１５】
図７を参照すると、駆動装置９は、円柱状のアタッチメント９１と歯車減速器９２を備えている。又、駆動装置９は、携帯型の電動工具Ｔｅを備えている。電動工具Ｔｅは、例えば、電動ドリル又はインパクトレンチを用いることができる。電動工具Ｔｅは、電源コードＣｐを介して、電源Ｓｅと電気的に接続している。
【００１６】
図７を参照すると、歯車減速器９２は、入力軸９２ａを一端部に有し、出力軸９２ｂを他端部に有している。入力軸９２ａは、連結シャフト９２ｃを介して、電動工具Ｔｅの出力軸と連結している。電動工具Ｔｅを駆動すると、電動工具Ｔｅの回転を入力軸９２ａに伝動できる。
【００１７】
又、図７を参照すると、歯車減速器９２の出力軸９２ｂには、アタッチメント９１を同軸上に連結している。電動工具Ｔｅを駆動すると、歯車減速器９２を介して、電動工具Ｔｅの回転をアタッチメント９１に伝動できる。
【００１８】
図７を参照すると、駆動装置９は、架台９３を更に備えている。架台９３は、天板９３ｔ、四本の円柱状の支持脚９３ｆ、及び、ジャッキ９３ｊを備えている。架台９３は、歯車減速器９２を天板９３ｔに設置している。支持脚９３ｆは、軸方向に二分割して、天板９３ｔの高さを調整自在に構成している。ジャッキ９３ｊは、その下部に配置したシャフトレバーを回転することで、設置面からアタッチメント９１の軸中心までの高さを調整できる。
【００１９】
図７を参照すると、アタッチメント９１は、正六角形状の凹部９１１を先端面から穿設している。凹部９１１は、ハンドルＨｄの中心部に配置された六角ボルトの頭部Ｂｈと嵌合できる。アタッチメント９１の凹部９１１を六角ボルトの頭部Ｂｈに嵌合した状態で、電動工具Ｔｅを駆動すると、ハンドルＨｄを回転できる。
【００２０】
図８又は図９を参照して、図７に示したアタッチメント９１に替えて、別の円筒状のアタッチメント７を用いることで、電動工具Ｔｅを駆動して、ハンドルＨｄを回転できる。
【００２１】
図８又は図９を参照すると、アタッチメント７は、有底筒形の本体部７１と円柱状の連結部７２を有している。連結部７２は、本体部７１の底面から突出している。連結部７２は、正四角形状の凹部７２１を先端面から穿設している。凹部７２１は、歯車減速器９２の出力軸９２ｂと嵌合できる（図７参照）。アタッチメント７の凹部７２１を歯車減速器９２の出力軸９２ｂに嵌合した状態で、電動工具Ｔｅを駆動すると、ハンドルＨｄを回転できる（図７参照）。
【００２２】
図８又は図９を参照すると、本体部７１は、その先端面から底部に向って、複数の切り欠き７１ｄを切り欠いている。これらの切り欠き７１ｄには、ハンドルＨｄに設けたスポークＳｐを導入できる。又、本体部７１は、切り欠き７１ｄにスポークＳｐを導入したときに、六角ボルトの頭部Ｂｈ（図７参照）を回避する凹部７１１を有している。
【００２３】
特許文献１による別のアタッチメント７は、ハンドルＨｄのスポークＳｐに嵌合してハンドルＨｄを回転できる、としている。又、特許文献１による駆動装置９は、別のアタッチメント７をハンドルＨｄの外形よりも小さい外径寸法に形成できる、としている。図７から図９を参照すると、別のアタッチメント７は、電動工具Ｔｅの出力軸に直結することも考えられる。
【００２４】
図７に示したゲート開閉機８と同様に、ゲートを開閉する装置として、ダブルストレーナ型濾過機が知られている。ダブルストレーナ型濾過機は、ケーシングと一対のストレーナを備えている。ケーシングは、隔壁で仕切った一対の濾過室を内部に形成している。そして、これらの濾過室には、ストレーナをそれぞれ設置している。
【００２５】
ダブルストレーナ型濾過機は、上流側ゲートと下流側ゲートをケーシングの内部に備えている。これらの上流側ゲート及び下流側ゲートは、一組のねじ送り機構により、一対の濾過室の間を往復動可能に配置されている。ケーシングの外部に設置したハンドルを回転すると、上流側ゲートと下流側ゲートを連動して、移動できる。ダブルストレーナ型濾過機は、一方のストレーナで異物を濾過しているときは、他方のストレーナを整備できる。
【００２６】
しかし、このハンドルは、ねじ送り機構を介して、上流側ゲート及び下流側ゲートと連結しているので、これらのゲートに所定の昇降量を確保するためには、ハンドルを手動で数多く回転する必要があるという、従来技術と同様な課題があった。
【００２７】
ダブルストレーナ型濾過機は、一般に、屋外に設置しているので、図７に示したような架台９３を屋外に設置して、ダブルストレーナ型濾過機のハンドルを回転することは容易でないという問題がある。
【００２８】
携帯型の電動工具を用いて、図８又は図９に示した別のアタッチメント７を電動工具の出力軸に取り付け、ダブルストレーナ型濾過機のハンドルを回転できるが、アタッチメント７がハンドルから外れ易いという問題がある。
【００２９】
従来技術による別のアタッチメント７の長所を活かしながら、手動式のハンドルから外れ難い、ハンドル回転駆動用のアタッチメントが求められている。そして、以上のことが本発明の課題といってよい。
【００３０】
本発明は、このような課題に鑑みてなされたものであり、手動式のハンドルから外れ難い、ハンドル回転駆動用のアタッチメントを提供することを目的とする。
【課題を解決するための手段】
【００３１】
本発明者らは、円盤状のアタッチメント本体の一方の面から一つ以上の操作桿を突出し、この操作桿には、スポークの外周に係合し、スポークから抜け止めできる一組の凹部を外周に設けることにより、ハンドル回転駆動用のアタッチメントがハンドルから外れ難いことを見出し、これに基づいて、以下のような新たなハンドル回転駆動用のアタッチメントを発明するに至った。
【００３２】
（１）本発明によるハンドル回転駆動用のアタッチメントは、回転する出力軸を有する電動工具を用いて、中心部が回転軸と結合したハブ、このハブを中心に放射状に延びる複数のスポーク、及び、これらのスポークの延端に結合する円環状のリムと、を有するハンドルを回転駆動するためのハンドル回転駆動用のアタッチメントであって、一方の面から突出した円柱状の突部を有し、この突部の先端面が前記ハブに当接自在な円盤状のアタッチメント本体と、前記アタッチメント本体の一方の面から突出し、複数の前記スポークの間に導入自在な一つ以上の棒状の操作桿と、前記アタッチメント本体の他方の面の中心部から突出し、前記電動工具の出力軸と連結できる入力軸と、を備え、前記操作桿は、前記スポークの外周に係合し、前記スポークから抜け止めできる一組の凹部を外周に有している。
【００３３】
（２）前記アタッチメント本体の突部は、前記ハブの中心部に突出した六角ボルトの頭部を逃げる逃げ部を先端面から穿設していることが好ましい。
【００３４】
（３）前記入力軸は、多角柱状に形成していることが好ましい。
【発明の効果】
【００３５】
本発明によるハンドル回転駆動用のアタッチメントは、突部の先端面がハブに当接自在な円盤状のアタッチメント本体と、アタッチメント本体の一方の面から突出し、複数のスポークの間に導入自在な操作桿と、電動工具の出力軸と連結できる入力軸と、を備え、操作桿は、スポークの外周に係合し、スポークから抜け止めできる一組の凹部を外周に有しているので、ハンドル回転駆動用のアタッチメントがハンドルから外れ難くなる。
【図面の簡単な説明】
【００３６】
【図１】本発明の一実施形態によるハンドル回転駆動用のアタッチメントの構成を示す斜視図である。
【図２】前記実施形態によるハンドル回転駆動用のアタッチメントの構成を示す斜視図であり、図２（Ａ）は、アタッチメントの正面図、図２（Ｂ）は、アタッチメントの右側面図、図２（Ｃ）は、アタッチメントの左側面図、図２（Ｄ）は、アタッチメントの平面図である。
【図３】図２（Ａ）のＡ−Ａ矢視断面図であり、図３（Ａ）は、ハンドル回転駆動用のアタッチメントに備わる操作桿がハンドルのスポークに左側から係合した状態図、図３（Ｂ）は、ハンドル回転駆動用のアタッチメントに備わる操作桿がハンドルのスポークに右側から係合した状態図である。
【図４】前記実施形態によるハンドル回転駆動用のアタッチメントが適用されるダブルストレーナ型濾過機の構成を示す平面図であり、要部を横断面図で示している。
【図５】前記実施形態によるハンドル回転駆動用のアタッチメントが適用されるダブルストレーナ型濾過機の構成を示す左側面図であり、要部を縦断面図で示している。
【図６】前記実施形態によるハンドル回転駆動用のアタッチメントが適用されるダブルストレーナ型濾過機の構成を示す正面図である。
【図７】従来技術による開閉機の可搬型駆動装置の構成を示す斜視図である。
【図８】従来技術による開閉機の可搬型駆動装置に備わる別のアタッチメントの構成を示す斜視図である。
【図９】図８のＡ−Ａ矢視断面図である。
【発明を実施するための形態】
【００３７】
以下、図面を参照して本発明を実施するための形態を説明する。
（ダブルストレーナ型濾過機の構成）
本発明の一実施形態によるハンドル回転駆動用のアタッチメントの構成を説明する前に、本発明の一実施形態によるハンドル回転駆動用のアタッチメントが適用されるダブルストレーナ型濾過機の構成を説明する。
【００３８】
なお、従来技術で付した符号と同じ符号を有する構成品は、その作用を同じにするので、以下説明を省略することがある。
【００３９】
図４から図６を参照すると、本発明の一実施形態によるハンドル回転駆動用のアタッチメントが適用されるダブルストレーナ型濾過機（以下、濾過機と略称する）６０は、ケーシング６と一対の截頭円筒状のストレーナ５・５を備えている。ケーシング６は、ケーシング本体６１、上流側ボンネット６２、及び、下流側ボンネット６３を含んでいる。又、ケーシング６は、一対の円盤状のトップカバー６４ａ・６４ｂと一対の円筒状のボトムカバー１５ａ・１５ｂを含んでいる。
【００４０】
図４又は図５を参照すると、ケーシング本体６１は、隔壁Ｗｈで仕切った一対の濾過室Ｒａ・Ｒｂを並列状態で内部に形成している。そして、これらの濾過室Ｒａ・Ｒｂには、ストレーナ５・５を内部に設置している。
【００４１】
図４又は図５を参照すると、上流側ボンネット６２は、ケーシング本体６１の一方の端面に取り付けられている。上流側ボンネット６２は、上流Ｓｕ側から流通する海水などの流体を導水容易に、内部を開口している。そして、上流側ボンネット６２は、上流Ｓｕ側から導水した流体を濾過室Ｒａ又は濾過室Ｒｂに流通している。
【００４２】
図４から図６を参照すると、下流側ボンネット６３は、ケーシング本体６１の他方の端面に取り付けている。下流側ボンネット６３は、濾過室Ｒａ又は濾過室Ｒｂから流通する海水などの流体を流出容易に、内部を開口している。そして、下流側ボンネット６３は、濾過室Ｒａ又は濾過室Ｒｂから流通した流体が異物を捕集された状態で流体を下流Ｓｄ側に流出できる。
【００４３】
図４から図６を参照すると、一対のトップカバー６４ａ・６４ｂは、ケーシング本体６１の上面に着脱自在に固定されている。一方のトップカバー６４ａは、濾過室Ｒａの上部の開口を密閉している。一方のトップカバー６４ａをケーシング本体６１から取り外すと、濾過室Ｒａに設置したストレーナ５を取り出すことができる。そして、ストレーナ５に残留した異物を除去できる。
【００４４】
図４から図６を参照すると、他方のトップカバー６４ｂは、濾過室Ｒｂの上部の開口を密閉している。他方のトップカバー６４ｂをケーシング本体６１から取り外すと、濾過室Ｒｂに設置したストレーナ５を取り出すことができる。そして、ストレーナ５に残留した異物を除去できる。なお、トップカバー６４ａとトップカバー６４ｂは、同じものであるが、説明の便宜上、符号を変えて区別した。
【００４５】
図４又は図５を参照すると、濾過機６０は、上流側ゲート３と下流側ゲート４を更に備えている。上流側ゲート３は、上流側ボンネット６２とケーシング本体６１の一方の端面の間に配置されている。上流側ゲート３は、後述する第１ねじ送り機構１Ｍｓにより、濾過室Ｒａと濾過室Ｒｂの間を往復動可能に配置されている。下流側ゲート４は、下流側ボンネット６３とケーシング本体６１の他方の端面の間に配置されている。下流側ゲート４は、後述する第２ねじ送り機構２Ｍｓにより、濾過室Ｒａと濾過室Ｒｂの間を往復動可能に配置されている。
【００４６】
図４又は図５を参照して、上流側ゲート３が濾過室Ｒｂ側に移動した状態では、上流側ゲート３が濾過室Ｒｂの流入口１Ｋｂを閉鎖することで、上流Ｓｕ側から流通する流体が濾過室Ｒｂに流入することを阻止できる。上流側ゲート３が濾過室Ｒｂ側に移動した状態では、上流側ゲート３が濾過室Ｒａの流入口１Ｋａを開放することで、上流Ｓｕ側から流通する流体を濾過室Ｒａに流入できる。
【００４７】
図４又は図５を参照して、上流側ゲート３が濾過室Ｒａ側に移動した状態では、上流側ゲート３が濾過室Ｒｂの流入口１Ｋｂを開放でき、上流側ゲート３が濾過室Ｒａの流入口１Ｋａを閉鎖できる。
【００４８】
図４又は図５を参照して、下流側ゲート４が濾過室Ｒｂ側に移動した状態では、下流側ゲート４が濾過室Ｒｂの流出口２Ｋｂを閉鎖することで、濾過室Ｒｂに収容した流体が下流Ｓｄ側に流出することを阻止できる。下流側ゲート４が濾過室Ｒｂ側に移動した状態では、下流側ゲート４が濾過室Ｒａの流出口２Ｋａを開放することで、濾過室Ｒａを介して、上流Ｓｕ側から流通する流体を下流Ｓｄ側に流出できる。
【００４９】
図４又は図５を参照して、下流側ゲート４が濾過室Ｒａ側に移動した状態では、下流側ゲート４が濾過室Ｒｂの流出口２Ｋａを開放でき、下流側ゲート４が濾過室Ｒａの流出口２Ｋａを閉鎖できる。
【００５０】
又、図４から図６を参照すると、濾過機６０は、第１ねじ送り機構１Ｍｓと第２ねじ送り機構２Ｍｓを備えている。第１ねじ送り機構１Ｍｓは、濾過室Ｒａと濾過室Ｒｂの間で、上流側ゲート３を往復動できる。第２ねじ送り機構２Ｍｓは、濾過室Ｒａと濾過室Ｒｂの間で、下流側ゲート４を往復動できる。
【００５１】
なお、第１ねじ送り機構１Ｍｓと第２ねじ送り機構２Ｍｓは、同様に構成しているので、第２ねじ送り機構２Ｍｓを代表して、ねじ送り機構の構成を主に説明する。
【００５２】
図４から図６を参照すると、第２ねじ送り機構２Ｍｓは、送りねじＳｆ、歯車箱Ｂｇ、及び、ハンドルＨｄを備えている。送りねじＳｆは、その両端部が下流側ボンネット６３に回転自在に保持されている。又、送りねじＳｆは、下流側ゲート４の背面側に突出した雌ねじ部４１と螺合している。送りねじＳｆを回転すると、下流側ゲート４を送りねじＳｆに沿って移動できる。
【００５３】
図４から図６を参照すると、送りねじＳｆは、その両端部が上流側ボンネット６２に回転自在に保持されている。又、送りねじＳｆは、上流側ゲート３の背面側に突出した雌ねじ部３１と螺合している。送りねじＳｆを回転すると、上流側ゲート３を送りねじＳｆに沿って移動できる。
【００５４】
図４から図６を参照すると、歯車箱Ｂｇは、互いに噛み合う一組のベベルギア（図示せず）を内部に備えている。一方のベベルギア（図示せず）は、ハンドルＨｄの回転軸に固定されている。他方のベベルギア（図示せず）は、送りねじＳｆの延長軸に固定されている。図示しない一対のベベルギアは、ハンドルＨｄの回転を送りねじＳｆに伝動できる。
【００５５】
図４を参照すると、濾過機６０は、連接棒Ｒｃを更に備えている。連接棒Ｒｃは、一組の歯車箱Ｂｇ・Ｂｇの間に配置されている。連接棒Ｒｃは、一方のハンドルＨｄの回転を他方のハンドルＨｄに伝動できる。
【００５６】
図４に示した状態から、一方のハンドルＨｄを一方の方向に回転すると、上流側ゲート３と下流側ゲート４を連動して、濾過室Ｒｂ側から濾過室Ｒａ側に移動できる。そして、濾過室Ｒａの両端部の開口を閉鎖できる。一方、上流側ゲート３と下流側ゲート４が濾過室Ｒａの両端部の開口を閉鎖した状態から、一方のハンドルＨｄを他方の方向に回転すると、上流側ゲート３と下流側ゲート４を連動して、濾過室Ｒａ側から濾過室Ｒｂ側に移動できる。そして、濾過室Ｒｂの両端部の開口を閉鎖できる。
【００５７】
このように、濾過機６０は、一方のハンドルＨｄ又は他方のハンドルＨｄを正転又は逆転することで、上流側ゲート３と下流側ゲート４が連動して移動し、濾過室Ｒａ又は濾過室Ｒｂの流入口１Ｋａ・１Ｋｂと流出口２Ｋａ・２Ｋｂを択一的に開閉できる。
【００５８】
しかし、図４から図６を参照すると、これらのハンドルＨｄは、第１ねじ送り機構１Ｍｓと第２ねじ送り機構２Ｍｓを介して、上流側ゲート及び下流側ゲートと連結しているので、これらのゲートに所定の昇降量を確保するためには、ハンドルＨｄを手動で数多く回転する必要があるという、従来技術と同様な課題があった。
【００５９】
［ハンドル回転駆動用のアタッチメントの構成］
次に、本発明の一実施形態によるハンドル回転駆動用のアタッチメントの構成を説明する。図１から図３を参照すると、本発明の一実施形態によるハンドル回転駆動用のアタッチメント（以下、アタッチメントと略称する）１０は、回転する出力軸Ｓｏを有する電動工具Ｔｅを用いて、ハンドルＨｄを回転駆動できる。
【００６０】
図１又は図３を参照すると、ハンドルＨｄは、ハブＨｂ、複数のスポークＳｐ、及び、円環状のリムＲｍを有している。ハブＨｂは、その中心部が、例えば、歯車箱Ｂｇに内蔵した一方のベベルギア（図示せず）の回転軸と結合している（図４参照）。複数のスポークＳｐは、ハブＨｂを中心に放射状に延びている。リムＲｍは、複数のスポークＳｐの延端に結合している。
【００６１】
図１から図３を参照すると、アタッチメント１０は、円盤状のアタッチメント本体（以下、本体と略称する）１１、複数の棒状の操作桿１２、及び、入力軸１３を備えている。本体１１は、円柱状の突部１１１を有している。突部１１１は、本体１１の一方の面から突出している。又、突部１１１は、その先端面をハブＨｂに当接できる。
【００６２】
図１から図３を参照すると、突部１１１は、円形の逃げ部１１ａを先端面から穿設している。突部１１１の先端面をハブＨｂに当接した状態では、逃げ部１１ａは、ハブＨｂの中心部に突出した六角ボルトの頭部Ｂｈを逃げることができる。
【００６３】
図１から図３を参照すると、複数の操作桿１２は、本体１１の一方の面から突出している。これらの操作桿１２は、隣設し合うスポークＳｐ・Ｓｐの間に導入できる。操作桿１２の基端部は、溶接などにより、本体１１に接合しておくことが好ましい。実施形態では、操作桿１２は、円柱状に構成しているが、操作桿１２は、多角柱状に構成してもよい。
【００６４】
図１又は図２を参照すると、入力軸１３は、本体１１の他方の面の中心部から突出している。入力軸１３は、電動工具Ｔｅの出力軸Ｓｏと連結できる。入力軸１３は、多角柱状に形成していることが好ましい。入力軸１３を回り止めできる。電動工具Ｔｅは、例えば、電動ドリル又はインパクトレンチを用いることができる。
【００６５】
図１から図３を参照すると、操作桿１２は、一組の凹部１２ａ・１２ａを外周から切り欠いている。操作桿１２を隣設し合うスポークＳｐ・Ｓｐの間に導入すると、凹部１２ａは、スポークＳｐの外周に係合し、スポークＳｐから抜け止めできる。
【００６６】
図１から図３を参照すると、実施形態によるアタッチメント１０は、突部１１１の先端面がハブＨｂに当接自在な円盤状の本体１１と、本体１１の一方の面から突出し、複数のスポークＳｐの間に導入自在な操作桿１２と、電動工具Ｔｅの出力軸Ｓｏと連結できる入力軸１３と、を備え、操作桿１２は、スポークＳｐの外周に係合し、スポークＳｐから抜け止めできる一組の凹部１２ａ・１２ａを外周に有しているので、アタッチメント１０がハンドルＨｄから外れ難くなる。
【００６７】
［ハンドル回転駆動用のアタッチメントの作用］
次に、実施形態によるアタッチメント１０の操作方法を説明しながら、アタッチメント１０の作用及び効果を説明する。
【００６８】
最初に、図１を参照して、入力軸１３を電動工具Ｔｅの出力軸Ｓｏに連結する。次に、図１を参照して、入力軸１３を電動工具Ｔｅの出力軸Ｓｏに連結した状態で、アタッチメント１０をハンドルＨｄに向って移動する。突部１１１の先端面がハブＨｂに当接した状態では、複数の操作桿１２を隣設し合うスポークＳｐ・Ｓｐの間に導入できる。
【００６９】
次に、図１を参照して、電動工具Ｔｅを駆動して、出力軸Ｓｏを一方の方向に回転すると、図３（Ａ）に示すように、操作桿１２をスポークＳｐの外周に左側から当接できる。そして、更に、電動工具Ｔｅを駆動して、出力軸Ｓｏを一方の方向に回転すると、ハンドルＨｄを時計方向に回転駆動できる。
【００７０】
図３（Ａ）に示した状態では、例えば、上流側ゲート３と下流側ゲート４を連動して、濾過室Ｒｂ側から濾過室Ｒａ側に移動できる（図４参照）。
【００７１】
図３（Ａ）に示した状態では、一方の凹部１２ａがスポークＳｐの外周に係合しているので、操作桿１２をスポークＳｐから抜け止めできる。このように、実施形態によるアタッチメント１０は、ハンドルＨｄから外れ難いという効果がある。
【００７２】
一方、図１を参照して、電動工具Ｔｅを駆動して、出力軸Ｓｏを他方の方向に回転すると、図３（Ｂ）に示すように、操作桿１２をスポークＳｐの外周に右側から当接できる。そして、更に、電動工具Ｔｅを駆動して、出力軸Ｓｏを他方の方向に回転すると、ハンドルＨｄを反時計方向に回転駆動できる。
【００７３】
図３（Ｂ）に示した状態では、例えば、上流側ゲート３と下流側ゲート４を連動して、濾過室Ｒａ側から濾過室Ｒｂ側に移動できる（図４参照）。
【００７４】
図３（Ｂ）に示した状態では、他方の凹部１２ａがスポークＳｐの外周に係合しているので、操作桿１２をスポークＳｐから抜け止めできる。このように、実施形態によるアタッチメント１０は、ハンドルＨｄから外れ難いという効果がある。なお、図３においては、凹部１２ａとスポークＳｐの係合状態を理解し易いように、一方又は他方の凹部１２ａの図示を省略している。
【００７５】
図１から図３を参照すると、実施形態によるアタッチメント１０は、突部１１１の先端面がハブＨｂに当接自在な円盤状の本体１１と、本体１１の一方の面から突出し、複数のスポークＳｐの間に導入自在な操作桿１２と、電動工具Ｔｅの出力軸Ｓｏと連結できる入力軸１３と、を備え、操作桿１２は、スポークＳｐの外周に係合し、スポークＳｐから抜け止めできる一組の凹部１２ａ・１２ａを外周に有しているので、アタッチメント１０がハンドルＨｄから外れ難くなる、という効果がある。
【００７６】
本発明によるハンドル回転駆動用のアタッチメントは、以下の効果を期待できる。
（１）ダブルストレーナ型濾過機に備わるハンドルに、アタッチメントを連結することで、インパクトレンチなどの電動工具によるゲートの移動操作が可能となる。
（２）ゲートの操作時間が大幅に短縮され、労力も軽減する。
（３）一組のハンドルを一人の作業員で回転でき、業務を効率化できる。
（４）アタッチメントがハンドルから外れ難くなる。
【符号の説明】
【００７７】
１０  アタッチメント（ハンドル回転駆動用のアタッチメント）
１１  本体（アタッチメント本体）
１２  操作桿
１２ａ・１２ａ  一組の凹部
１３  入力軸
１１１  突部
Ｈｄ  ハンドル
Ｈｂ  ハブ
Ｓｐ  スポーク
Ｒｍ  リム
Ｔｅ  電動工具
Ｓｏ  出力軸
【図１】
2020117948.tif 000003
【図２】
2020117948.tif 000004
【図３】
2020117948.tif 000005
【図４】
2020117948.tif 000006
【図５】
2020117948.tif 000007
【図６】
2020117948.tif 000008
【図７】
2020117948.tif 000009
【図８】
2020117948.tif 000010
【図９】
2020117948.tif 000011